(57)【要約】【課題】タッチパネルを備えたハンディターミナル装置において、周囲が暗いような場所でタッチパネルの操作を容易に行わせるため、簡易な構成でタッチパネルの照明を行う。【解決手段】実施形態のハンディターミナル装置は、透明部材で形成された基板を有する透光性タッチパネルと、基板を導光部材として照明を行うＬＥＤユニットと、を備える。【選択図】図２
2014052723.tif 000002
【特許請求の範囲】
【請求項１】
透明部材で形成された基板を有する透光性タッチパネルと、
前記基板を導光部材として照明を行うＬＥＤユニットと、
を備えたハンディターミナル装置。
【請求項２】
前記透光性タッチパネルを収納したケースと、
前記透光性タッチパネルの背面の一部に対向するように前記ケース内に配置され、各種情報を表示するディスプレイユニットと、
を備えた請求項１記載のハンディターミナル装置。
【請求項３】
前記ディスプレイユニットは、透過型ディスプレイであり、
前記ディスプレイユニットの背面に配置され、当該ディスプレイユニットを照明するバックライトユニットを備えた、
請求項２記載のハンディターミナル装置。
【請求項４】
前記透光性タッチパネルを収納したケースと、
前記透光性タッチパネルの表面に載置され、入力操作情報が表示された操作シートと、
前記操作シートを保護する保護カバーと、
を備えた請求項１記載のハンディターミナル装置。
【請求項５】
第１の前記透光性タッチパネルを収納した第１のケースと、
前記第１のケースに回動可能に設けられ、第２の前記透光性タッチパネルを収納した第２のケースと、
前記第２の透光性タッチパネルの表面に載置され、入力操作情報が表示された操作シートと、
前記操作シートを保護する保護カバーと、
を備えた請求項１記載のハンディターミナル装置。
【請求項６】
前記基板には、前記ＬＥＤユニットより照射された照明光を拡散するための光拡散溝が形成されている、
請求項１乃至請求項５のいずれかに記載のハンディターミナル装置。
【発明の詳細な説明】
【技術分野】
【０００１】
本発明の実施形態は、ハンディターミナル装置に関する。
【背景技術】
【０００２】
従来ハンディターミナル装置は、例えば、レストラン等の飲食店においては、顧客の注文を受け付けるオーダー処理システムとして用いられていた（例えば、特許文献１参照）。
【０００３】
すなわち、レストラン等の飲食店においてホール担当者は、ホール内の各テーブルを回って携帯するハンディターミナルを用い、各テーブルに対応する顧客の注文に対応するメニューデータ、テーブル番号、人数等を含むオーダーデータを順次入力するようにされていた。
【０００４】
そして、ハンディターミナル装置において、入力されたオーダーデータは、パーソナルコンピュータ（ＰＣ）あるいはワークステーション（ＷＳ）として構成されているオーダー管理装置に無線通信ネットワーク等を介して通知され、キッチンプリンタ、キッチンディスプレイ等を介して、キッチンの調理担当者に通知されて調理がなされるとともに、ＰＯＳ端末装置等に通知されて会計担当者により会計処理がなされることとなっていた。
【０００５】
ここで、従来のハンディターミナル装置の概要構成について説明する。
ハンディターミナル装置は、例えば、本体ケースと、扉ケースと、がヒンジにより開閉自在に連結された構造を有していた。
【０００６】
そして、本体ケースには、バックライトを有し、各種情報を表示するためのディスプレイと、ディスプレイよりも大きなサイズ（本実施形態では、縦長）とされ、ディスプレイの表面側に載置されて、ディスプレイが配置されていない部分に複数個の固定キーが配置された固定キー部が設けられて各種データを入力するタッチパネルと、が設けられ、タッチパネルの操作領域の内、タッチパネルの背面にディスプレイが配置されている部分はタッチパネルディスプレイとして機能していた。
【０００７】
また、扉ケースには、各種データを入力するためのタッチパネルと、タッチパネルの表面に載置され、メニュー項目を容易に変更可能に表示するためにタッチパネルの操作領域に対応付けて各種メニューが表示されたメニューシートと、このメニューシートを保護するためのメニューシートカバーが設けられていた。
【発明の概要】
【発明が解決しようとする課題】
【０００８】
ところで、上記構成を有するハンディターミナル装置の本体ケースにおいては、固定キー部が設けられている部分においては、タッチパネルの背面にディスプレイが配置されていないため、照明が暗い店舗などにおいては、固定キーの操作内容（入力内容）の表示が読みづらく、タッチパネルディスプレイのバックライトを利用する等してキー入力を行う必要があった。
【０００９】
同様に扉ケースにおいても、タッチパネルが収納されているだけであり、メニューシートの表示が読みづらくなるため、本体ケース側のタッチパネルディスプレイのバックライトを利用する等してキー入力を行う必要があった。
【課題を解決するための手段】
【００１０】
実施形態のハンディターミナル装置は、透明部材で形成された基板を有する透光性タッチパネルを備えている。
そして、ＬＥＤユニットは、基板を導光部材として照明を行う。
【図面の簡単な説明】
【００１１】
【図１】図１は、実施形態のハンディターミナル装置の外観正面図である。
【図２】図２は、図１における本体ケースのＡ−Ａ断面図である。
【図３】図３は、本体ケース側のタッチパネル及びＬＥＤの配置関係の説明斜視図である。
【図４】図４は、タッチパネルの概要構成断面図である。
【図５】図５は、図１における扉ケースのＢ−Ｂ断面図である。
【図６】図６は、扉ケース側のタッチパネルの一部拡大断面図である。
【発明を実施するための形態】
【００１２】
図１は、実施形態のハンディターミナル装置の外観正面図である。
ハンディターミナル装置１０は、レストランなどにおいて顧客の注文を受けるために用いられるものであり、本体ケース１１と、扉ケース１２と、がヒンジ１３により開閉自在に連結されている。
【００１３】
本体ケース１１には、図示しないバックライトを有し、各種情報を表示するための透過型ディスプレイ１４と、透過型ディスプレイ１４よりも大きなサイズとされ、透過型ディスプレイ１４の表面側に載置されて、透過型ディスプレイ１４が位置していない部分に複数個の固定キーが配置された固定キー部１５が設けられて各種データを入力するタッチパネル１６と、が設けられ、透光性タッチパネル１６の透過型ディスプレイに対応する部分はタッチパネルディスプレイとして機能している。
【００１４】
また、扉ケース１２には、複数の操作区画１７Ａを有し、各種データを入力するための透光性タッチパネル１７と、タッチパネルの表面に載置され、メニュー項目を容易に変更可能に表示するためにタッチパネルの操作領域に対応付けて各種メニューが表示されるとともに、扉ケース１２に着脱自在に取りつけられたメニューシート１８と、このメニューシート１８を保護するとともに、扉ケース１２に着脱自在に取りつけられたメニューシートカバー１９が設けられている。
【００１５】
図２は、図１における本体ケースのＡ−Ａ断面図である。
図２に示すように、本体ケース１１は、上部ケース１１Ｕ及び下部ケース１１Ｄを有し、本体ケース１１内には、透光性タッチパネル１６と、透過型ディスプレイ１４と、ハンディターミナル装置１０全体に電力を供給するバッテリ（二次電池）２１と、各種制御を行うための制御ＩＣ２２Ａを備えた制御基板２２と、制御基板２２上であって、透光性タッチパネル１６の端面１６Ｔに対向するように配置された複数のＬＥＤ２３と、が収納されている。なお、本実施形態では、複数のＬＥＤ２３を収納する構成を採っているが、ＬＥＤ２３の能力、要求する明るさ等によっては、一つのＬＥＤで構成することも可能である。
ここで、制御基板２２（及び制御ＩＣ２２Ａ）と、複数のＬＥＤ２３と、は、ＬＥＤユニットを構成している。
また複数のＬＥＤ２３は、表面実装型のＬＥＤ素子が用いられている。したがって、透光性タッチパネル１６の端面１６Ｔに効率よく照明光Ｌ（図３参照）を照射可能にＬＥＤ２３を配置することが可能となっている。
【００１６】
図３は、本体ケース側のタッチパネル及びＬＥＤの配置関係の説明斜視図である。
図４は、本体ケース側のタッチパネルの概要構成断面図である。
透光性タッチパネル１６の固定キー部１５が設けられている位置の背面には、制御基板２２が配置されている。ここで、制御基板２２の一端２２Ｔは、図２に示したように、透光性タッチパネル１６の入射端面１６Ｔの位置を超えて位置している。
そして、図４に示すように、複数のＬＥＤ２３の照明光Ｌの出射面２３Ｔが、透光性タッチパネル１６の端面１６Ｔに対向するように配置されている。
【００１７】
ここで、透光性タッチパネル１６の構成例について詳細に説明する。
本実施形態において、透光性タッチパネル１６は、抵抗膜式タッチパネルとして構成されている。
透光性タッチパネル１６は、いわゆる、ＦＦＰ（Ｆｉｌｍ−Ｆｉｌｍ−Ｐｌａｓｔｉｃｓ）タッチパネルであり、図４に示すように、透明プラスチック製の基板３１を備えている。
【００１８】
この基板３１には、固定キー部１５を構成している各キー（「０」キー〜「９」キー、「取消」キー、「△」キー、「▽」キー及び「送信」キー）の周囲を囲むように光拡散用の溝３１Ｃ（図４参照）が格子状に形成されている。
基板３１の上面には、透明粘着部材３２を介して下部フィルム３３が設けられている。
【００１９】
この下部フィルム３３の上面には、透明導電膜としての酸化インジウムスズ（ＩＴＯ）による回路が形成された下部ＩＴＯ回路部３４が形成されている。
下部ＩＴＯ回路部３４の上面の所定位置には、両面テープとして構成されたスペーサ部材３５が配置され、このスペーサ部材３５に支持されて、上部ＩＴＯ回路部３６が形成されている。
【００２０】
上部ＩＴＯ回路部３６の上面には、上部フィルム３７が形成されており、さらに上部フィルム３７の上面には、透光性タッチパネル１６の耐久性を向上させるためのハードコート部材（ハードコート層）３８が形成されている。なお、ハードコート部材３８に反射防止膜をコーティングするように構成することも可能である。
以上の構成において、透明粘着部材３２、下部フィルム３３、下部ＩＴＯ回路部３４、スペーサ部材３５、上部ＩＴＯ回路部３６、上部フィルム３７及びハードコート部材３８は、タッチパネル電極部１６Ｅを構成している。
【００２１】
さらに下部ＩＴＯ回路部３４の上面には、下部ＩＴＯ回路部３４と上部ＩＴＯ回路部３６とが不用意に電気的に接触して誤動作しないように、弾力性を有する部材で形成された複数のドットスペーサ３９が形成されている。このドットスペーサ３９の実際の高さは、５〜１０μｍとされている。
【００２２】
上記構成において、下部フィルム３３及び上部フィルム３７の厚さとしては、１００〜２００μｍとされている。また、下部フィルム３３及び上部フィルム３７の材料としては、光透過率及び表面硬度が高く、適度な軟質性を有する樹脂材料として、ポリエチレンテレフタレート（ＰＥＴ）を用いている。
【００２３】
また、下部ＩＴＯ回路部３４及び上部ＩＴＯ回路部３６は、下部フィルム３３あるいは上部フィルム３７に対して、真空蒸着法、スパッタリング法、ＣＶＤ法、印刷法等で形成されている。このときの下部ＩＴＯ回路部３４及び上部ＩＴＯ回路部３６の厚さは、１００〜１５０Åとされている。
【００２４】
図５は、図１における扉ケースのＢ−Ｂ断面図である。
図６は、扉ケース側のタッチパネルの一部拡大断面図である。
扉ケース１２は、上部ケース１２Ｕ及び下部ケース１２Ｄを備えている。
透光性タッチパネル１７の背面には、各種制御を行うための制御ＩＣ４１Ａを備えた制御基板４１が配置されている。ここで、制御基板４１の端面４１Ｔは、図５に示すように、透光性タッチパネル１７の端面１７Ｔの位置を超えて位置しており、複数のＬＥＤ２３と同様に、複数のＬＥＤ４２の照明光Ｌの出射面４２Ｔが、透光性タッチパネル１７の端面１７Ｔに対向するように配置されている。
また複数のＬＥＤ４２は、表面実装型のＬＥＤ素子が用いられている。したがって、透光性タッチパネル１７の厚さの範囲内でＬＥＤ４２を配置することが可能となっている。
【００２５】
ここで、透光性タッチパネル１７の構成は、図４に示した透光性タッチパネル１６と同様であり、透光性タッチパネル１７は、抵抗膜式タッチパネルとして構成されている。
透光性タッチパネル１７も、いわゆる、ＦＦＰ（Ｆｉｌｍ−Ｆｉｌｍ−Ｐｌａｓｔｉｃｓ）タッチパネルであり、透光性タッチパネル１６と同様に、透明プラスチック製の基板３１及びタッチパネル電極部１６Ｅと同様の構成のタッチパネル電極部１７Ｅを備えている。
【００２６】
この基板３１には、図１に示した、６０個（＝５×１２個）の矩形領域１７Ａのそれぞれの周囲を囲むように光拡散用の溝３１Ｃが格子状に形成されている。
この結果、複数のＬＥＤ４２の出射面４２Ｔから照明光Ｌが出射されると、透光性タッチパネル１７の透明の基板３１内を照明光Ｌが全反射しつつ伝播し、照明光Ｌが溝３１Ｃに至ると拡散されて、メニューシート１８及びメニューシートカバー１９を介して、ハンディターミナル装置１０のオペレータ側に出射することとなり、メニューシート１８に記載（印刷）されているメニューを暗い室内であっても容易に確認することが可能となる。
【００２７】
以上の説明のように、本実施形態によれば、透光性タッチパネルの透明基板を導光板として利用し、ＬＥＤユニットにより照明を行うので、暗い場所であっても、入力作業を容易に行える。
したがって、入力誤りを低減し、作業効率の向上が図れる。
【００２８】
以上の説明においては、透光性タッチパネル１６あるいは透光性タッチパネル１７の基板３１には溝３１Ｃを設けただけであったが、照明光Ｌの入射端面１６Ｔ、１７Ｔ以外の周面に反射材を塗布あるいは貼付するように構成することも可能である。また基板３１の全反射だけを利用し、反射材（の機能）を設けないように構成することも可能である。
【００２９】
また、以上の説明においては、透光性タッチパネル１６あるいは透光性タッチパネル１７の一つの端面を入射端面１６Ｔ、１７Ｔに対向させてＬＥＤ２３あるいはＬＥＤ４２を設けていたが、透光性タッチパネル１６あるいは透光性タッチパネル１７の複数の端面に対向させてＬＥＤを設けるように構成することも可能である。
【００３０】
以上の説明においては、本体ケース１１側および扉ケース１２側の双方の透光性タッチパネル１６及び透光性タッチパネル１７の双方にＬＥＤ（ＬＥＤユニット）を設けていたが、いずれか一方の透光性タッチパネルのみにＬＥＤ（ＬＥＤユニット）を設けるように構成することも可能である。
【００３１】
また、実施形態の他の第１の態様は、透明部材で形成された基板を有する透光性タッチパネル（ＦＦＰ）と、基板（透明プラスチック製の板状部材）を導光部材として照明を行うＬＥＤユニット（ＬＥＤ及びＬＥＤ駆動回路）と、を備えるようにしてもよい。
【００３２】
また、実施形態の他の第２の態様は、透光性タッチパネルを収納したケース（アッパーケース及びロワーケース）と、透光性タッチパネルの背面の一部に対向するようにケース内に配置され、各種情報を表示するディスプレイユニット（バックライト付透過型液晶ディスプレイユニット、有機ＥＬディスプレイユニット等）を備えるようにしてもよい。すなわち、上記実施形態における本体ケース側のみを有するハンディターミナル装置とすることも可能である。
【００３３】
また、実施形態の他の第３の態様は、ディスプレイユニットは、透過型ディスプレイ（液晶ディスプレイ、有機ＥＬディスプレイ）であり、ディスプレイユニットの背面に配置され、当該ディスプレイユニットを照明するバックライトユニット（例陰極線管ユニットあるいはＬＥＤ照明ユニット）を備えるようにしてもよい。
【００３４】
また、実施形態の他の第４の態様は、透光性タッチパネルを収納したケースと、透光性タッチパネルの表面に載置され、入力操作情報が表示された操作シート（メニューシート）と、操作シートを保護する保護カバー（メニューシートカバー）と、を備えるようにしてもよい。すなわち、上記実施形態における扉ケース側のみを有するハンディターミナル装置とすることも可能である。
【００３５】
また実施形態の他の第５の態様や、第１の前記透光性タッチパネルを収納した第１のケース（本体側ケース）と、第１のケースに回動可能に設けられ、第２の前記透光性タッチパネルを収納した第２のケースと（扉側ケース）と、第２の透光性タッチパネルの表面に載置され、入力操作情報が表示された操作シート（メニューシート）と、操作シートを保護する保護カバー（メニューシートカバー）と、を備えるようにしてもよい。
また、実施形態の他の第６の態様は、基板には、ＬＥＤユニットより照射された照明光を拡散するための光拡散溝が形成されているようにしてもよい。
【００３６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３７】
１０    ハンディターミナル装置
１１    本体ケース
１２    扉ケース
１３    ヒンジ
１４    透過型ディスプレイ
１５    固定キー部
１６    透光性タッチパネル
１６Ｔ  入射端面
１７    透光性タッチパネル
１７Ｔ  入射端面
１８    メニューシート
１９    メニューシートカバー
２２    制御基板
２３    ＬＥＤ
２３Ｔ  出射面
３１    基板
３１Ｃ  溝
３２    透明粘着部材
３３    下部フィルム
３４    下部ＩＴＯ回路部
３５    スペーサ部材
３６    上部ＩＴＯ回路部
３７    上部フィルム
３８    ハードコート部材
３９    ドットスペーサ
４１    制御基板
４１Ｔ  端面
４２    ＬＥＤ
４２Ｔ  出射面
Ｌ      照明光
【先行技術文献】
【特許文献】
【００３８】
【特許文献１】特開２００２−００７５４０号公報
【図１】
2014052723.tif 000003
【図２】
2014052723.tif 000004
【図３】
2014052723.tif 000005
【図４】
2014052723.tif 000006
【図５】
2014052723.tif 000007
【図６】
2014052723.tif 000008